(57)【要約】【課題】レバーの突出を無くすとともに、見付け幅寸法を小さくしたアシスト機構付引手を提供する。【解決手段】台座部２と、この台座部２の上面に重ねて配置されるとともに、下端側で前記台座部２に軸支されることにより揺動自在とされ、かつ前記台座部２の見付け幅とほぼ同等の見付け幅とされる操作レバー３と、前記台座部２の中間に形成された凹部２０に配置され、中間部が台座部２に軸支され揺動自在とされるとともに、前記台座部２と操作レバー３とが軸支されている側の端部が前記操作レバー３に軸支され、操作レバー３の揺動に伴って揺動動作し窓枠を蹴り出して初期始動力を与える蹴出し部材４とからなる。【選択図】図２
2010024670.tif 000002
【特許請求の範囲】
【請求項１】
台座部と、この台座部の上面に重ねて配置されるとともに、下端側又は上端側で前記台座部に軸支されることにより揺動自在とされ、かつ前記台座部の見付け幅とほぼ同等の見付け幅とされる操作レバーと、前記台座部に形成された凹部又は段部に配置され、中間部が前記台座部に軸支され揺動自在とされるとともに、前記台座部と操作レバーとが軸支されている側の端部が前記操作レバーに軸支され、前記操作レバーの揺動に伴って揺動動作し窓枠を蹴り出して初期始動力を与える蹴出し部材とからなることを特徴とするアシスト機構付引手。
【請求項２】
前記蹴出し部材と操作レバーとの軸支部は、操作レバーの揺動角に対して、蹴出し部材の揺動角が大きくなる位置に設定してある請求項１記載のアシスト機構付引手。
【請求項３】
前記台座部に対して、操作レバーの時計回り方向の揺動操作又は反時計回り方向の揺動操作を規制するストッパーを取り付けてある請求項１、２いずれかに記載のアシスト機構付引手。
【請求項４】
前記蹴出し部材の窓枠当接部位に着脱可能な当接部材を設けてある請求項１〜３いずれかに記載のアシスト機構付引手。
【請求項５】
窓枠内部に外障子と内障子とがスライド可能に設置されたサッシ窓において、
前記外障子の窓枠側縦框及び／又は前記内障子の窓枠側縦框に請求項１〜４いずれかに記載のアシスト機構付引手が取り付けられていることを特徴とするサッシ窓。
【発明の詳細な説明】
【技術分野】
【０００１】
本発明は、引戸を開操作する初期始動時に、小さな力で開操作ができるようにしたアシスト機構（開放補助機構）付引手及びサッシ窓に関する。
【背景技術】
【０００２】
サッシに代表される引戸においては、引戸が閉められている状態の気密性を高めるために、戸先の縦框と窓枠又は開口枠との間に、ビードやモヘアなどの気密部材を介在させてある。とくに、サッシ窓においては、引き寄せ装置や気密装置などが設けられているため、開放当初の抵抗が大きい。しかも、最近は省エネルギー効果の点から断熱サッシが主流になりつつあるが、断熱サッシの引き戸にはペアガラスが取り付けられ、また框も二重構造になっているものが多いので、全体重量が重くならざるをえない。特に大型のガラス障子は老齢者や病弱者には，開けることが容易でないという問題があった。
【０００３】
そこで、特にこのような障子の開閉操作性を上げるために、テコの原理を応用し、障子の開放初期始動時に小さな力で開操作ができるようにしたアシスト機構付引手が知られている。
【０００４】
例えば、下記特許文献１では、引き戸の戸先に固定された台座にレバーハンドルの中間部を回動自在に取り付け、レバーハンドルの一端をグリップ、他端を引き戸枠の縦枠を押圧可能な蹴り出し部とし、上記グリップを操作してレバーハンドルを回動させることにより蹴り出し部で引き戸枠を押圧したときの反力で引き戸を開く開き装置において、上記台座には引き戸の面と平行な開口部を貫通形成し、この開口部にレバーハンドルを貫通させ、非操作時には上記レバーハンドルの中間部と蹴り出し部とが収まるようにした引き戸の開き装置が提案されている。
【０００５】
また、下記特許文献２では、引違い窓または片引き窓における障子の戸先框に設けられた固定部と、この固定部に対して前記障子の開閉方向にスライド自在に取り付けられた操作部と、前記固定部に軸支されるとともに、一端が前記操作部に回動自在に連結され、当該操作部のスライドに伴って回動する回動部とを備え、前記障子を閉じた状態において、前記戸先框が当接した前記引違い窓または片引き窓の縦枠から離れる方向に前記操作部をスライドさせることで、回動した前記回動部の他端が前記縦枠に向かって突出するとともに、当該縦枠に当接し、前記障子を前記縦枠から離れる方向に付勢する開放補助機構付き引手が提案されている。
【特許文献１】特開２００３−１３６３４号公報
【特許文献２】特開２００５−９７９３３号公報
【発明の開示】
【発明が解決しようとする課題】
【０００６】
しかしながら、前記特許文献１に係る開き装置の場合は、障子縦框へ取り付けられる本体部からレバーが突出して形成されているため、外観が悪い、カーテンなどと干渉する、身体とぶつかりケガをすることがあるなどの問題があるとともに、前記レバーが内方側に突き出しているため、開窓時に障子の引き残しが大きくなってしまい、開口幅が狭くなり、網戸のパッキンが外障子の召合せ框に接触しなくなる不具合が生じるか該召合せ框の見付け寸法を大きくする必要があるなどの問題があった。
【０００７】
前記特許文献２に係る引手は、障子縦框への取付られる本体部の上面に引手が重なる構造となっているため、前述した問題点の多くは解消されるものの、構造が複雑で構成部品も多いため製作費が嵩む、縦框の見付け幅をより狭くしたい障子への適用が困難であるなどの問題点があった。
【０００８】
更には、前記特許文献１及び２に係る装置又は引手の場合は、原動側となるレバー（又は引手の移動によって回動される回動部）の揺動角と、作動側となる蹴出し部材の揺動角とが同一角となる構造であり、蹴出し部材の突出量を大きくしたい場合は、より多くレバーを揺動動作させたり、引手の移動量を大きく確保する必要があり、操作性が悪いなどの問題があった。
【０００９】
そこで本発明の第１の課題は、レバーの突出を無くすとともに、見付け幅寸法を小さくできるようにすることにある。また第２に、操作レバーの揺動角よりも蹴出し部材の揺動角を大きく設定できる構造のアシスト機構付引手及びサッシ窓を提供することにある。
【課題を解決するための手段】
【００１０】
前記課題を解決するために請求項１に係る本発明として、台座部と、この台座部の上面に重ねて配置されるとともに、下端側又は上端側で前記台座部に軸支されることにより揺動自在とされ、かつ前記台座部の見付け幅とほぼ同等の見付け幅とされる操作レバーと、前記台座部に形成された凹部又は段部に配置され、中間部が前記台座部に軸支され揺動自在とされるとともに、前記台座部と操作レバーとが軸支されている側の端部が前記操作レバーに軸支され、前記操作レバーの揺動に伴って揺動動作し窓枠を蹴り出して初期始動力を与える蹴出し部材とからなることを特徴とするアシスト機構付引手が提供される。
【００１１】
上記請求項１記載の発明では、操作レバーは台座部の上面に重ねて配置されるとともに、操作レバーは台座部の見付け幅とほぼ同等の見付け幅となっているため、レバーの突出も無くなり美観が向上するとともに、他との干渉も無くなる。
【００１２】
また、開窓時の引き残しも少なくでき、十分な開口幅が確保できるため、網戸のパッキンが外障子の召合せ框に接触しなくなる不具合が生じることがないとともに、該召合せ框の見付け寸法を特段に大きくする必要性が無くなる。更には、基本構成部材は、台座部と操作レバーと蹴出し部材からなる単純な構造であるため、製作費も安価となる。
【００１３】
請求項２に係る本発明として、前記蹴出し部材と操作レバーとの軸支部は、操作レバーの揺動角に対して、蹴出し部材の揺動角が大きくなる位置に設定してある請求項１記載のアシスト機構付引手が提供される。
【００１４】
上記請求項２記載の発明は、従来のように、レバーと蹴出し部材とを一体とせずに別部材とした本発明の引手においては、蹴出し部材と操作レバーとの軸支位置の設定を変えることによって、操作レバーの揺動角に対する蹴出し部材の揺動角を任意に設定することが可能となる。従って、蹴出し部材と操作レバーとの軸支部は、操作レバーの揺動角よりも蹴出し部材の揺動角が大きくなる位置に設定することで、操作レバーの少ない揺動操作で大きな蹴出し量を得ることができ、操作レバーの揺動操作量を小さくすることで操作性を向上することができる。
【００１５】
請求項３に係る本発明として、前記台座部に対して、操作レバーの時計回り方向の揺動操作又は反時計回り方向の揺動操作を規制するストッパーを取り付けてある請求項１、２いずれかに記載のアシスト機構付引手が提供される。
【００１６】
上記請求項３記載の発明は、台座部に対して、操作レバーの時計回り方向の揺動操作又は反時計回り方向の揺動操作を規制するストッパーを取付けるようにしたものである。すなわち、操作レバーの規制方向を任意に設定可能とすることにより、引き違い障子において、左右の障子のどちら側にも共通的に使用可能となる。また、障子の閉操作時に、ストッパーによって操作レバーの揺動を抑えることができるとともに、ストッパーが閉操作力を受けることによって軸部に荷重負担を掛けることも無くなる。
【００１７】
請求項４に係る本発明として、前記蹴出し部材の窓枠当接部位に着脱可能な当接部材を設けてある請求項１〜３いずれかに記載のアシスト機構付引手が提供される。
【００１８】
上記請求項４記載の発明は、蹴出し部材の窓枠当接部位に着脱可能な当接部材を設けるようにしたものである。従って、窓枠との当接部が摩擦によってすり減っても当接部材の交換だけで対応することが可能となる。
【００１９】
請求項５に係る本発明として、窓枠内部に外障子と内障子とがスライド可能に設置されたサッシ窓において、
前記外障子の窓枠側縦框及び／又は前記内障子の窓枠側縦框に請求項１〜４いずれかに記載のアシスト機構付引手が取り付けられていることを特徴とするサッシ窓が提供される。
【発明の効果】
【００２０】
以上詳説のとおり本発明によれば、レバーの突出を無くすとともに、見付け幅寸法を小さくできるようになる。また、操作レバーの揺動角よりも蹴出し部材の揺動角を大きく設定できるようになるため、障子の開閉操作性を向上することができる。
【発明を実施するための最良の形態】
【００２１】
以下、本発明の実施の形態について図面を参照しながら詳述する。
【００２２】
図１は本発明に係るアシスト機構付引手１の斜視図（平常時）、図２は障子開操作時の作動状態を示す斜視図、図３は障子縦框への取付状態を示す斜視図、図４は縦断面図である。
【００２３】
図１〜図４に示されるように、アシスト機構付引手１は、基本的に、障子の窓枠側縦框に取り付けられる台座部２と、この台座部２の上面に重ねて配置されるとともに、下端側又は上端側で前記台座部に軸支されることにより揺動自在とされ、かつ前記台座部の見付け幅とほぼ同等の見付け幅とされる操作レバー３と、前記台座部２の中間に形成された凹部２０に配置され、中間部が台座部に軸支され揺動自在とされるとともに、前記台座部２と操作レバー３との軸支側端部が前記操作レバー３に軸支され、前記操作レバー３の揺動に伴って揺動動作し窓枠を蹴り出して初期始動力を与える蹴出し部材４とからなるものである。
【００２４】
以下、更に具体的に詳述する。
【００２５】
前記台座部２は、詳細には図５に示されるように、平面視で縦長に矩形状に成形された略立方体状の部材であり、部材長手方向の中間部は、蹴出し部材４を収容する凹部２０が形成されているとともに、この凹部２０内に蹴出し部材４を軸支するための軸設置孔２１が形成されている。また、上下部にはそれぞれ障子縦框への取付のためにビス孔２２、２３が形成されているとともに、下端部に操作レバー３を軸支するための軸設置孔２４が形成され、さらに上部側には、左右両側にスリット状のストッパー設置孔２５、２５が形成されている。ストッパー１０は、同図に示されるように、相対的に高さの高いストッパー壁１０ａと、これに対峙するとともに、相対的に高さの低い起立壁１０ｂと、これらを結合する結合部１０ｃとからなる小片状部材であり、前記台座部２の裏面側から前記ストッパー壁１０ａと起立壁１０ｂとを夫々、前記ストッパー設置孔２５、２５に嵌合させるように設置し、前記ストッパー壁１０ａのみを台座部２の上面から突出させる。前記ストッパー壁１０ａを左右いずれかのストッパー設置孔２５から突出させるかによって、後述する操作レバー３の一方側への回動を規制するようになっている。
【００２６】
前記操作レバー用軸設置孔２４の上部位置には、バネ設置孔２６が設けられており、図４に示されるように、嵌合されたバネ５の半分が台座部２に掛かり、残り半分が操作レバー３側に掛かることによって、操作レバー３を揺動させた際に、バネ部材の復元力によって、操作レバー３を元の垂直位置に戻すように付勢力を作用させるようになっている。なお、図４に示されるように、前記台座部２の裏面側には、ストッパー１０を設置した状態で裏蓋６が設けられるとともに、この裏蓋６が蹴出し部材４を軸支するための軸部材７及び操作レバー３を軸支するための軸部材８の裏面側で軸受けする部材を兼ねている。
【００２７】
前記操作レバー３は、詳細には図６に示されるように、平面視で縦長に矩形状に成形された略立方体状の部材であり、前記台座部２の見付け幅（短辺寸法）とほぼ同等の見付け幅とされ、台座部２の上面に重ねて配置される。下端側に形成された軸設置孔３０に設置された軸部材８によって前記台座部２に軸支されることにより揺動自在とされ、前記軸設置孔３０の上部側には蹴出し部材４を軸支するための軸設置孔３１が形成されている。また、上面には指を掛けるための窪み３４が形成されている。なお、最下端に設けられた孔３２は、台座部２を固定するビスを貫通させるための挿通孔である。また、前記軸設置孔３０、３１及び挿通孔３２を覆い隠すためのカバー材１１が着脱自在に設けられている。
【００２８】
前記操作レバー３の上部側側壁には、前記ストッパー壁１０ａの先端側形状にほぼ整合する形状で切欠き３３が設けられている。この切欠き３３の周縁は斜めにカットされており、前記ストッパー壁１０ａの先端側周縁が半円弧状に加工され、この先端側周縁のみが前記切欠き３３の周縁と衝合するようになっている。これにより、正面から見た際、前記ストッパー壁１０ａが外側に突出せず、操作レバー３によって隠されるようになっている。
【００２９】
前記蹴出し部材４は、詳細には図７に示されるように、前記台座部２の凹部２０に収容可能な寸法とされ、正面から見た際に、前記操作レバー３によって覆い隠され露出しない寸法とされる。中央よりやや下側に、台座部２に対して軸部材７によって軸支するための軸設置孔４０が形成されているとともに、その下側位置に前記操作レバー３に対して軸部材９によって軸支するための軸設置孔４１が形成されている。また、窓枠に対する当接面となる両側面には、着脱可能な当接部材１２が嵌設されている。なお、前記軸設置孔４１は、縦方向に長い長孔とされ、この長孔長さによって前記操作レバー３の揺動範囲が決定される。
【００３０】
以上詳述したアシスト機構付引手１においては、図２に示されるように、操作レバー３の窪み３４に指を掛けて障子を開方向に引くと、操作レバー３が軸部材８を揺動中心として揺動を開始する。操作レバー３が揺動すると、蹴出し部材４との連結部となっている軸部材９が同方向に揺動し、これに伴って蹴出し部材４の上端側（蹴出し側）が窓枠方向に突出するように揺動し、窓枠を蹴り出して初期始動力を与える。
【００３１】
ところで、前記蹴出し部材４において、軸部材９の位置は、操作レバー３の揺動角αよりも蹴り出し部材の揺動角βが大きくなる位置に設定するのが良い。具体的には、図８に示されるように、操作レバー３の揺動角をαとするとき、蹴出し部材４の揺動角βは軸部材７と軸部材９との離隔距離Ｓに依存することになるから、この離隔距離Ｓを、蹴出し部材揺動角β＞操作レバー揺動角αとなるように設定する。もちろん、蹴出し部材４の突出量は、軸部材７から蹴出し側先端までの部材長によっても変化するが、蹴出し部材４の揺動角βを大きく確保することにより、操作レバー３の少ない操作量で蹴出しすることができ、操作性が向上する。
【００３２】
たとえば、図８において、軸部材７と軸部材８との離隔距離Ｌ：４５mm、軸部材７と軸部材９との離隔距離Ｓ：１９．０５mmとした場合の例について、図９に基づいて説明すると、図９(A)の操作前の状態から図９(B)に示すように、操作レバー３を５．０°揺動させると、蹴出し部材４の揺動角βは７．４°となり、図９(C)に示すように、操作レバー３を１３．６°揺動させると、蹴出し部材４の揺動角βは１８．７°となり、図９(D)に示すように、操作レバー３を１７．９°揺動させると、蹴出し部材４の揺動角βは２３．２°となる。
【００３３】
次いで、図１０に本アシスト機構付引手１をサッシ窓に対して取り付けた例を示す。サッシ窓は、窓枠１６内に外障子１４と内障子１５とがスライド可能に設置され、障子の外側に網戸１３を備える。本例では、外障子１４の窓枠側縦框と、内障子１５の窓枠側縦框とに夫々、本アシスト機構付引手１、１が取り付けられる。外障子１４側では、気密材を取り付けるための突片を蹴出し部材４の当接対象部材としているが、内障子１５側で示したように、別途、当接対象部材６を設けるようにしても良い。
【００３４】
図１０(B)に示されるように、本アシスト機構付引手１では、レバーの突出を無くすとともに、見付け幅寸法を小さくできるため、開窓時の引き残しも少なくでき、十分な開口幅が確保できるようになるとともに、網戸１３のパッキンが外障子１４の召合せ框に接触しなくなるなどの不具合も無くなる。
【００３５】
〔他の形態例〕
(1)上記形態例では、操作レバー３は下端側を回転中心として揺動操作させるようにしたが、上端側を回転中心として揺動操作するように取り付けてもよい。
(2)上記形態例では、台座部２の中間に凹部２０を形成し、該凹部２０に蹴出し部材４を配置するようにしたが、図１１に示されるように、台座部２に段部２０’を形成し、この段部２０’に前記蹴出し部材４を配置するようにしてもよい。
【図面の簡単な説明】
【００３６】
【図１】本発明に係るアシスト機構付引手１の斜視図（平常時）である。
【図２】障子開操作時の作動状態を示す斜視図である。
【図３】障子縦框への取付状態を示す斜視図である。
【図４】アシスト機構付引手１の縦断面図である。
【図５】台座部２を示す、(A)は側面図、(B)は正面図である。
【図６】操作レバー３を示す、(A)は側面図、(B)は正面図である。
【図７】蹴出し部材４を示す、(A)は側面図、(B)は正面図である。
【図８】操作レバー３及び蹴出し部材４の揺動状態を示す概略図である。
【図９】(A)〜(D)は操作量に応じた操作レバー３と蹴出し部材４の揺動角を示す作動図である。
【図１０】サッシ窓に対する取付け例を示す、(A)は閉窓横断面図、(B)は開窓横断面図である。
【図１１】台座２に対する蹴出し部材４の設置態様の変形例を示す概略図である。
【符号の説明】
【００３７】
１…アシスト機構付引手、２…台座部、３…操作レバー、４…蹴出し部材、５…バネ、６…当接部材、１０…ストッパー、１１…カバー材、１２…当接部材、１３…網戸、１４…外障子、１５…内障子、１６…窓枠
【図１】
2010024670.tif 000003
【図２】
2010024670.tif 000004
【図３】
2010024670.tif 000005
【図４】
2010024670.tif 000006
【図５】
2010024670.tif 000007
【図６】
2010024670.tif 000008
【図７】
2010024670.tif 000009
【図８】
2010024670.tif 000010
【図９】
2010024670.tif 000011
【図１０】
2010024670.tif 000012
【図１１】
2010024670.tif 000013